(57)【要約】  【課題】冷凍した際の解凍時間を短縮できるとともに、生鮮魚類の変形および傷みなどを防止できる生鮮魚類の仕切体を提供する。  【解決手段】外板部７の互いに対向する一対の取付板11に両端部を取り付けた仕切板８で、生鮮魚類を収容する収容部36を複数形成する。各収容部36に生鮮魚類を整列して仕分けした状態で包装用容器に収容するので、生鮮魚類の変形および傷みなどを容易に防止できる。生鮮魚類を各収容部36に収容した状態で包装用容器とともに冷凍した際には、生鮮魚類が収容部36毎にひと塊となるので、包装用容器に生鮮魚類を直接収容して冷凍した際などと比較して解凍時間を短縮できる。  【選択図】図１
2005053549.tif 000002
【特許請求の範囲】
【請求項１】
生鮮魚類の包装用容器に取り付けられる生鮮魚類の仕切体であって、
互いに対向する一対の取付板を少なくとも備えた外板部と、
前記取付板に両端部がそれぞれ取り付けられ、生鮮魚類を収容する収容部を複数形成する仕切板と
を具備したことを特徴とした生鮮魚類の仕切体。
【請求項２】
外板部は、一対の取付板の両端部にこれら取付板に交差する方向に沿ってそれぞれ設けられ、互いに対向する一対の支持板を備え、
前記取付板および前記支持板は、互いの隣接部から折り畳み可能に設けられ、
仕切板は、前記取付板への取付部が折り曲げ可能に設けられている
ことを特徴とした請求項１記載の生鮮魚類の仕切体。
【請求項３】
一対の取付板は、取付孔を有し、
仕切板は、
仕切板本体と、
この仕切板本体の両端部に突設され前記取付孔に挿入される取付部としての挿入部とを備え、
この挿入部は、前記取付孔の縁部に前記外板部の外部で係合されて前記仕切板の端部を前記取付板に係止する係止部が切り込み形成されている
ことを特徴とした請求項１または２記載の生鮮魚類の仕切体。
【請求項４】
仕切板は、各収容部が略等間隔になるように設けられている
ことを特徴とした請求項１ないし３いずれか一記載の生鮮魚類の仕切体。
【請求項５】
各収容部に上部から折り込まれて設けられ、前記各収容部に収容された生鮮魚類を包装する保護包装部材を具備した
ことを特徴とした請求項１ないし４いずれか一記載の生鮮魚類の仕切体。
【請求項６】
外板部は、一対の取付板の下端部からそれぞれ互いに他方の取付板に向けて下方に傾斜して延設された傾斜板を備え、
各仕切板は、前記傾斜板に固定される固定部をそれぞれ備えている
ことを特徴とする請求項１ないし５いずれか一記載の生鮮魚類の仕切体。
【請求項７】
傾斜板は、
固定孔と、
先端部に切り欠き形成された固定切欠部とを有し、
固定部は、
前記固定孔に挿入されてこの固定孔の縁部に外板部の外部で係合される挿入固定部と、
前記固定切欠部に係合される係合部とを有している
ことを特徴とする請求項６記載の生鮮魚類の仕切体。
【発明の詳細な説明】
【技術分野】
【０００１】
本発明は、例えばさんまなどの生鮮魚類を収容する生鮮魚類用の包装用容器に取り付けられる生鮮魚類の仕切体に関する。
【背景技術】
【０００２】
現在、例えばさんまなどの水産物すなわち生鮮魚類は、漁期が制限されているため、一時期に集中的に収穫される。
【０００３】
このため、従来、生鮮魚類を通年で鮮度よく市場に流通させるために、多くが港に水揚げされると木箱、あるいは段ボールの箱などにまとめて梱包され、−３０℃以下で冷凍保存される（例えば、特許文献１参照。）。
【０００４】
そして、需要に応じて冷凍状態のまま市場に出荷されたり、水産加工場で解凍して出荷されたりする。
【特許文献１】特開平８−２８２７６３号公報（第２−３頁、図１）
【発明の開示】
【発明が解決しようとする課題】
【０００５】
例えば水産加工場で解凍して出荷する場合には、例えば約１５kgの木箱で冷凍保存された生鮮魚類の塊を、約３％の塩水に浸して解凍した後、解凍鮮魚として市場に流通される。
【０００６】
このとき、塩水はなるべく低温で、短時間に解凍したほうが生鮮魚類の鮮度を落とさずに済み、市場での商品価値を高めることができるが、上述のように木箱にまとめて梱包して冷凍保存する場合には、冷凍された生鮮魚類のひと塊が比較的大きくなり、解凍時間を要するという問題点を有している。
【０００７】
このため、冷凍された生鮮魚類の塊の表面と中心とで解凍時間に差が生じ、表面に位置した生鮮魚類は、中心に位置した生鮮魚類が解凍されるまでの間に、解凍された状態のままで塩水に長時間浸されて鮮度が低下し、商品価値が低下するという問題点もある。
【０００８】
また、例えばさんまなどは細長いため、木箱の隅で折れ曲がったり、不揃いに重なり合ったりし、変形した状態のままで冷凍保存されることがあり、この変形した状態で長時間冷凍されたさんまなどは、解凍しても変形状態が完全に元に戻ることはなく、商品価値が低下するおそれがあるという問題点も有している。
【０００９】
本発明は、このような点に鑑みなされたもので、冷凍した際の解凍時間を短縮できるとともに、生鮮魚類の変形および傷みなどを防止できる生鮮魚類の仕切体を提供することを目的とする。
【課題を解決するための手段】
【００１０】
請求項１記載の生鮮魚類の仕切体は、生鮮魚類の包装用容器に取り付けられる生鮮魚類の仕切体であって、互いに対向する一対の取付板を少なくとも備えた外板部と、前記取付板に両端部がそれぞれ取り付けられ、生鮮魚類を収容する収容部を複数形成する仕切板とを具備したものである。
【００１１】
そして、外板部の互いに対向する一対の取付板に両端部を取り付けた仕切板で、生鮮魚類を収容する収容部を複数形成することにより、生鮮魚類が各収容部に整列して仕分けされた状態で包装用容器に収容されるので、生鮮魚類の変形および傷みなどを防止することが容易に可能になるとともに、例えば生鮮魚類を各収容部に収容した状態で包装用容器とともに冷凍した際には、生鮮魚類が収容部毎にひと塊となるので、包装用容器に生鮮魚類を直接収容して冷凍した際などと比較して解凍時間が短縮される。
【００１２】
請求項２記載の生鮮魚類の仕切体は、請求項１記載の生鮮魚類の仕切体において、外板部は、一対の取付板の両端部にこれら取付板に交差する方向に沿ってそれぞれ設けられ、互いに対向する一対の支持板を備え、前記取付板および前記支持板は、互いの隣接部から折り畳み可能に設けられ、仕切板は、前記取付板への取付部が折り曲げ可能に設けられているものである。
【００１３】
そして、一対の取付板と、これら一対の取付板の両端部にこれら取付板に交差する方向に沿って設けた支持板とを、互いの隣接部から折り畳み可能に設け、かつ仕切板の取付板への取付部を折り曲げ可能に設けることで、非使用時には全体を折り畳んで省スペース化することが容易に可能になる。
【００１４】
請求項３記載の生鮮魚類の仕切体は、請求項１または２記載の生鮮魚類の仕切体において、一対の取付板は、取付孔を有し、仕切板は、仕切板本体と、この仕切板本体の両端部に突設され前記取付孔に挿入される取付部としての挿入部とを備え、この挿入部は、前記取付孔の縁部に前記外板部の外部で係合されて前記仕切板の端部を前記取付板に係止する係止部が切り込み形成されているものである。
【００１５】
そして、外板部の取付板に、仕切板の仕切板本体の両端部に突設された取付部としての挿入部を挿入する取付孔を設け、取付孔の縁部に外板部の外部で係合されて仕切板の端部を一対の取付板に係止する係止部を挿入部に切り起こし形成することで、仕切板の端部を外板部に容易に取り付けでき、組み立て性が向上する。
【００１６】
請求項４記載の生鮮魚類の仕切体は、請求項１ないし３いずれか一記載の生鮮魚類の仕切体において、仕切板は、各収容部が略等間隔になるように設けられているものである。
【００１７】
そして、各収容部が略等間隔となるように仕切板を設けることで、各収容部に収容される生鮮魚類の量が略等しくなるため、例えば生鮮魚類を各収容部に収容した状態で包装用容器とともに冷凍した際などにも、収容部毎の解凍時間が均一化され、解凍後の生鮮魚類の鮮度のばらつきを防止することが容易に可能になる。
【００１８】
請求項５記載の生鮮魚類の仕切体は、請求項１ないし４いずれか一記載の生鮮魚類の仕切体において、各収容部に上部から折り込まれて設けられ、前記各収容部に収容された生鮮魚類を包装する保護包装部材を具備したものである。
【００１９】
そして、各収容部に上部から折り込まれて設けられた保護包装部材にて各収容部に収容された生鮮魚類を包装することにより、各収容部の生鮮魚類を保護包装部材で確実に保護することが可能になる。
【００２０】
請求項６記載の生鮮魚類の仕切体は、請求項１ないし５いずれか一記載の生鮮魚類の仕切体において、外板部は、一対の取付板の下端部からそれぞれ互いに他方の取付板に向けて下方に傾斜して延設された傾斜板を備え、各仕切板は、前記傾斜板に固定される固定部をそれぞれ備えているものである。
【００２１】
そして、一対の取付板の下端部からそれぞれ互いに他方の取付板に向けて下方に傾斜して傾斜板を延設し、仕切板の固定部を傾斜板に固定することにより、各収容部に収容された生鮮魚類の頭部を傾斜板で腹部より上方に持ち上げることも可能になり、生鮮魚類の目に生鮮魚類の血液が溜まって充血することを防止することが可能になる。
【００２２】
請求項７記載の生鮮魚類の仕切体は、請求項６記載の生鮮魚類の仕切体において、傾斜板は、固定孔と、先端部に切り欠き形成された固定切欠部とを有し、固定部は、前記固定孔に挿入されてこの固定孔の縁部に外板部の外部で係合される挿入固定部と、前記固定切欠部に係合される係合部とを有しているものである。
【００２３】
そして、傾斜板に設けた固定孔に、固定部に設けた挿入固定部を挿入して縁部に外板部の外部で係合し、傾斜板の先端部に切り欠き形成した固定切欠部に、固定部に設けた係合部を係合することで、仕切板を外板部に、より確実に固定することが可能になる。
【発明の効果】
【００２４】
請求項１記載の生鮮魚類の仕切体によれば、外板部の互いに対向する一対の取付板に両端部を取り付けた仕切板で、生鮮魚類を収容する収容部を複数形成することにより、生鮮魚類が各収容部に整列して仕分けされた状態で包装用容器に収容されるので、生鮮魚類の変形および傷みなどを容易に防止でき、例えば生鮮魚類を各収容部に収容した状態で包装用容器とともに冷凍した際には、生鮮魚類が収容部毎にひと塊となるので、包装用容器に生鮮魚類を直接収容して冷凍した際などと比較して解凍時間を短縮できる。
【００２５】
請求項２記載の生鮮魚類の仕切体によれば、一対の取付板と、これら一対の取付板の両端部にこれら取付板に交差する方向に沿って設けた支持板とを、互いの隣接部から折り畳み可能に設け、かつ仕切板の取付板への取付部を折り曲げ可能に設けることで、非使用時には全体を折り畳んで容易に省スペース化できる。
【００２６】
請求項３記載の生鮮魚類の仕切体によれば、外板部の取付板に、仕切板の仕切板本体の両端部に突設された取付部としての挿入部を挿入する取付孔を設け、取付孔の縁部に外板部の外部で係合されて仕切板の端部を一対の取付板に係止する係止部を挿入部に切り起こし形成することで、仕切板の端部を外板部に容易に取り付けでき、組み立て性を向上できる。
【００２７】
請求項４記載の生鮮魚類の仕切体によれば、各収容部が略等間隔となるように仕切板を設けることで、各収容部に収容される生鮮魚類の量が略等しくなるため、例えば生鮮魚類を各収容部に収容した状態で包装用容器とともに冷凍した際などにも、収容部毎の解凍時間を均一化でき、解凍後の生鮮魚類の鮮度のばらつきを容易に防止できる。
【００２８】
請求項５記載の生鮮魚類の仕切体によれば、各収容部に上部から折り込まれて設けられた保護包装部材にて各収容部に収容された生鮮魚類を包装することにより、各収容部の生鮮魚類を保護包装部材で確実に保護できる。
【００２９】
請求項６記載の生鮮魚類の仕切体によれば、一対の取付板の下端部からそれぞれ互いに他方の取付板に向けて下方に傾斜して傾斜板を延設し、仕切板の固定部を傾斜板に固定することにより、各収容部に収容された生鮮魚類の頭部を傾斜板で腹部より上方に持ち上げることができ、生鮮魚類の目に生鮮魚類の血液が溜まって充血することを防止できる。
【００３０】
請求項７記載の生鮮魚類の仕切体によれば、傾斜板に設けた固定孔に、固定部に設けた挿入固定部を挿入して縁部に外板部の外部で係合し、傾斜板の先端部に切り欠き形成した固定切欠部に、固定部に設けた係合部を係合することで、仕切板を外板部に、より確実に固定できる。
【発明を実施するための最良の形態】
【００３１】
本発明の第１の実施の形態の生鮮魚類の仕切体の構成を図１ないし図６を参照して説明する。
【００３２】
図６は、例えばさんまなどの水産物すなわち生鮮魚類１を収容して包装する包装用容器２、この包装用容器２内に敷かれる包装部材としてのシート３、このシート３の上に重ねて包装用容器２内に取り付けられる生鮮魚類１の仕切体４、および、生鮮魚類１を仕分けする治具５を示す。
【００３３】
包装用容器２は、例えば木箱、発泡スチロールの箱、あるいは段ボール箱などであり、四角形の箱状に形成されている。
【００３４】
シート３は、例えばポリエチレンなどの透光性を有する合成樹脂などの部材で四角形状に設けられたものであり、包装用容器２内全体に敷き詰められるとともに、生鮮魚類１を仕切体４とともに包装用容器２に収容した状態でこれら生鮮魚類１および仕切体４を包装可能な大きさに設けられている。
【００３５】
仕切体４は、図１に示すように、一対の外板体６の両端を互いに組み合わせて平面視で四角枠状に形成された外板部７と、この外板部７内に複数設けられた四角形板状の仕切板８とを備えている。なお、これら外板部７および仕切板８は、プラスチック段ボール、プラスチックフィルム、あるいは防水処理を施した紙などの防水性を有する板状の軟質の部材で設けることが好ましい。
【００３６】
外板体６は、図２に示すように、細長四角形状に形成され、取付板11と支持板12とのそれぞれの長手方向の端部が外板折り線部13を介して一体的に設けられ、取付板11の支持板12と反対側の端部および支持板12の取付板11と反対側の端部に、それぞれ第１の固定板14および第２の固定板15がそれぞれ延設されている。ここで、取付板11は、支持板12よりも長手寸法が小さい。すなわち、仕切板８は、外板部７の長手方向に沿ってこの外板部７に取り付けられている。
【００３７】
取付板11には、仕切板８の数に対応した複数の取付孔21がそれぞれ穿設されている。これら取付孔21は、上下方向に沿って長孔状に設けられ、各仕切板８の端部がそれぞれ取り付けられる。また、これら取付孔21は、生鮮魚類１の１匹当たりの体高程度の間隔で取付板11の長手方向に互いに略等間隔に離間されて設けられている。
【００３８】
支持板12は、取付板11を補強して支持するものであり、例えば長手寸法が生鮮魚類１の１匹当たりの体長の２倍程度に設けられている。
【００３９】
外板折り線部13は、外板部７の上下方向である高さ方向全体に設けられている。すなわち、外板折り線部13は、外板部７の上端から下端に連続して設けられている。そして、この外板折り線部13は、外板部７を組み立てた際に、外板部７の取付板11と支持板12との隣接部となる部分である。
【００４０】
第１の固定板14は、取付板11から舌片状に延設され、取付板11との境界部に切込部22が設けられている。この切込部22は、外板部７の高さ方向の一端、例えば下端から外板部７の高さ方向の中心付近まで直線状に切り込み形成されている。また、この切込部22の上端部には、取付板11と第１の固定板14とを相対的に折り曲げ可能にする折り線部23が外板部７の上端まで直線状に設けられている。
【００４１】
第２の固定板15は、第１の固定板14と略等しい形状に設けられ、支持板12から舌片状に延設されている。また、第２の固定板15と支持板12との境界部には、固定切込部25が設けられている。この固定切込部25は、外板部７の高さ方向の他端、すなわち外板部７の高さ方向における切込部22と反対側の端部である上端から、外板部７の高さ方向の中心付近まで直線状に切り込み形成されている。また、この固定切込部25の下端部には、支持板12と第２の固定板15とを相対的に折り曲げ可能にする固定板折り線部26が外板部７の下端まで直線状に設けられている。
【００４２】
そして、外板部７は、図１に示すように、一方の外板体６の切込部22と他方の外板体６の固定切込部25とを互いに嵌合させるように組み立てることで、一対の取付板11が互いに対向するとともに、これら一対の取付板11に交差、例えば略直交する方向に一対の支持板12がそれぞれ互いに対向するように、四角枠状に組み立てられている。また、外板部７は、第１の固定板14と第２の固定板15とを組み合わせた隣接部、あるいは外板折り線部13から、図３に示すように折り畳み可能となるように設けられている。
【００４３】
一方、仕切板８は、図４に示すように、細長四角形平板状の仕切板本体31と、この仕切板本体31の両端部に突設され取付孔21に挿入されて取り付けられる取付部としての挿入部32とを有し、長手方向に線対称に形成されている。
【００４４】
仕切板本体31は、例えば支持板12の長さ寸法と略等しい長さ寸法に形成されている。
【００４５】
挿入部32は、仕切板本体31の高さ方向の中心域に設けられ、取付孔21に外板部７の内側から外側に向けて挿入されている。また、挿入部32は、この挿入部32を折り曲げ可能にする折曲線部33が、上端および下端から挿入部32の高さ方向の中心に向けて直線状に設けられている。これら折曲線部33は、仕切板８を外板部７に取り付けた状態で取付孔21から若干外側に位置している。
【００４６】
そして、これら折曲線部33には、円弧状の切込曲線部34が連接して設けられている。この切込曲線部34は、仕切板本体31側に凸になるように湾曲しており、挿入部32に切り込み形成されている。このため、図５に示すように、挿入部32を折曲線部33から折り曲げることで、挿入部32の一部が突弧状の係止部35として切り起こし形成される。この係止部35は、外板部７の外部で取付孔21の縁部の取付板11に係合されて仕切板８の端部を外板部７に係止する。この結果、仕切板８は、図１に示すように、生鮮魚類１を収容する収容部36を略等間隔に複数形成する。
【００４７】
また、治具５は、図６に示すように、例えば金属などの部材で四角枠状に形成された枠体41を備えている。この枠体41は、仕切体４の外板部７と略等しい外形形状を有し、包装用容器２の上端部に係合されて治具５をこの包装用容器２に固定する係合突出部42が両側方に突設されている。
【００４８】
さらに、枠体41内には、治具５を取り付けた状態で各収容部36内に挿入される仕分板部43が、収容部36に応じて設けられている。これら仕分板部43により、生鮮魚類１が各収容部36に整列された状態で仕分けされて収容可能となっている。
【００４９】
そして、枠体41の周囲には、治具５の取手となる取手板部44がそれぞれ突設されている。
【００５０】
次に、上記第１の実施の形態の組み立て方法を説明する。
【００５１】
まず、一方の外板体６の切込部22を他方の外板体６の固定切込部25に対して上側から下側に向けて挿入することで、一方の外板体６の切込部22と他方の外板体６の固定切込部25とを互いに嵌合させる。
【００５２】
このとき、第１の固定板14および第２の固定板15を取付板11および支持板12にテープなどで固定すると、組み立ての作業性および外板部７の強度などが向上する。
【００５３】
次いで、仕切板８を外板部７内に嵌合させ、この仕切板８の挿入部32を、取付孔21に対して内側から外側へと挿入し、外板部７の外部で折曲線部33から挿入部32を折り曲げ、切り起こし形成された係止部35を、取付孔21の縁部に係合させる。
【００５４】
そして、他の仕切板８も同様にして外板部７に取り付け、仕切体４を完成する。
【００５５】
次に、上記第１の実施の形態の作用を説明する。
【００５６】
包装用容器２にシート３を敷き、このシート３の周縁部を包装用容器２の外部に突出させた状態で仕切体４をシート３に載せた後、この仕切体４の上側から治具５を取り付ける。このとき、各仕分板部43が各収容部36内に挿入されるようにする。
【００５７】
そして、生鮮魚類１を治具５の上方から包装用容器２に投入すると、治具５の各仕分板部43により整列され頭から尾鰭まで略直線状に整えられた生鮮魚類１が各収容部36に収容される。
【００５８】
この後、治具５を取り外し、包装用容器２の外部に突出したシート３の周縁部を包装用容器２内に折り返して仕切体４とともに生鮮魚類１を包装した後、包装用容器２にて梱包し、冷凍庫などで例えば約−３０℃で冷凍保存する。
【００５９】
出荷する際には、包装用容器２の梱包を解き、シート３の包装を開封した後、仕切体４を外して各収容部36内の生鮮魚類１を例えば３％程度の塩水内に浸して解凍する。
【００６０】
上述したように、上記第１の実施の形態によれば、外板部７の互いに対向する一対の取付板11に両端部を取り付けた仕切板８で、生鮮魚類１を収容する収容部36を複数形成することにより、生鮮魚類１が各収容部36に整列して仕分けされた状態で包装用容器２に収容されるので、生鮮魚類１の変形および傷みなどを容易に防止でき、例えば生鮮魚類１を各収容部36に収容した状態で包装用容器２とともに冷凍した際には、生鮮魚類１が収容部36毎にひと塊となるので、包装用容器に生鮮魚類を直接収容して冷凍した際などと比較して表面積を増加できるため、解凍時間を短縮できる。
【００６１】
この結果、冷凍された生鮮魚類１の塊の表面と中心とでの解凍時間の差を抑制でき、塊の表面に位置して先に解凍された生鮮魚類１が、塊の中心に位置した生鮮魚類１が解凍されるまでの間に、解凍された状態のままで塩水に長時間浸されることなどを防止できるので、先に解凍された生鮮魚類１と後に解凍された生鮮魚類１との鮮度の差を抑制でき、解凍鮮魚としての商品価値が低下することをも防止できる。
【００６２】
特に、包装用容器に生鮮魚類を直接収容する従来の場合では、包装用容器内の端部、あるいは隅などに位置した生鮮魚類が折れ曲がった状態で長時間冷凍保存されることがあり、この折れ曲がった生鮮魚類は解凍後も曲がったままとなって商品価値が低下するおそれがあった。しかしながら、上記第１の実施の形態では、包装用容器２内に収容された全ての生鮮魚類１が直線状に整列された状態で冷凍保存可能なので、解凍後も折れ曲がった状態の生鮮魚類１が生じることがなく、生鮮魚類１の形状品質を均一に保つことができる。
【００６３】
また、一対の取付板11と、これら一対の取付板11の両端部にこれら交差する方向に沿って設けた支持板12とを、外板折り線部13、あるいは取付板11と支持板12との隣接部から折り畳み可能に設け、かつ仕切板８の取付板11への挿入部32を折曲線部33から折り曲げ可能に設けることで、非使用時には全体を折り畳むことで嵩張らず、容易に省スペース化できる。
【００６４】
さらに、取付板11に、仕切板８の仕切板本体31の両端部に突設された挿入部32を挿入する取付孔21を設け、取付孔21の縁部に外板部７の外部で係合されて仕切板８の端部を一対の取付板11にそれぞれ係止する係止部35を挿入部32に切り起こし形成することで、仕切板８の端部を外板部７に容易に取り付けでき、仕切体４の組み立て性を向上できる。
【００６５】
そして、各収容部36が略等間隔となるように仕切板８を設けることで、各収容部36に収容される生鮮魚類１の量が略等しくなるため、例えば生鮮魚類１を各収容部36に収容した状態で包装用容器２とともに冷凍した際などにも、収容部36毎の解凍時間を均一化でき、解凍後の生鮮魚類１の鮮度のばらつきを容易に防止できる。
【００６６】
また、生鮮魚類１を収容部36毎に少量ずつ解凍することが可能になるので、販売しない生鮮魚類１の鮮度が解凍および冷凍の繰り返しにて低下してしまうことをも防止できる。
【００６７】
さらに、仕切体４は、プラスチック段ボール、プラスチックフィルム、あるいは防水処理を施した紙などで形成することができるので、製造コストを抑制できるとともに、使用済み後は容易にリサイクルできる。
【００６８】
なお、上記第１の実施の形態において、包装用容器２の深さ寸法を大きくして仕切体４を上下方向に複数重ねて使用することも可能である。この場合には、生鮮魚類１を包装用容器２および仕切体４とともに冷凍した際の解凍時間を、より短縮でき、かつ生鮮魚類１の形状品質をより均一に保つことができるので、解凍鮮魚としての商品価値を向上できる。
【００６９】
次に、第２の実施の形態を図７および図８を参照して説明する。なお、上記第１の実施の形態と同様の構成および作用効果については、同一符号を付してその説明を省略する。
【００７０】
この図７および図８に示す実施の形態では、外板部７の高さ寸法が生鮮魚類１の魚幅寸法程度の浅い形状に設けられている。また、取付板11は、支持板12よりも細長く形成されている。したがって、仕切板８は、仕切体４の幅方向に沿ってそれぞれ取り付けられている。
【００７１】
また、各収容部36は、生鮮魚類１の体高に応じた幅寸法を有している。したがって、各収容部36は、生鮮魚類１の１匹ごとに対応した大きさに設けられている。
【００７２】
さらに、各収容部36には、図８に示すように、保護包装部材としての包装シート45がそれぞれ収容部36の上側から折りこまれている。この包装シート45は、例えばポリエチレンなどの合成樹脂などで形成されている。
【００７３】
そして、この第２の実施の形態の仕切体４を使用する際には、包装用容器２に仕切体４を収容し、この仕切体４の上側から包装シート45を各収容部36にそれぞれ折り込み、生鮮魚類１を包装シート45の上側から各収容部36内に収容する。
【００７４】
この後、各収容部36内の生鮮魚類１を包装シート45でそれぞれ包装し、例えば包装用容器２とともに冷凍保存する。
【００７５】
上述したように、上記第２の実施の形態によれば、各収容部36に上部から折り込んだ包装シート45にて各収容部36に収容された生鮮魚類１を包装することにより、例えば生鮮魚類１がさんまである場合などでも、細長く弱い口端部分、あるいは尾鰭などを包装シート45で１匹毎に包装して確実に保護でき、生鮮魚類１を解凍鮮魚とした場合の形状品質を向上できる。
【００７６】
また、収容部36を生鮮魚類１の１匹毎に対応した大きさとすることで、いわゆるＩＱＦ(Individual Quick Freezing)として使用することができる。
【００７７】
なお、上記各実施の形態において、外板部７は、支持板12を設けないものも可能である。
【００７８】
次に、第３の実施の形態を図９ないし図１２を参照して説明する。なお、上記各実施の形態と同様の構成および作用効果については、同一符号を付してその説明を省略する。
【００７９】
この図９ないし図１２に示す実施の形態では、外板部７が一対の取付板11のみで形成され、これら取付板11は、仕切体４を組み立てた状態で、例えば生鮮魚類１の魚長の約２倍程度に離間されている。
【００８０】
また、各取付板11には、下端部から傾斜板51が延設され、取付部11と傾斜板51との連接部は、傾斜折り線部52が形成されている。
【００８１】
傾斜板51は、各取付板11から、互いに他方の取付板11に向けて下方向に傾斜するように設けられている。また、この傾斜板51には、仕切板８の仕切板本体31の両端部の下端に設けられた固定部53が固定される複数の固定孔54と、複数の固定切欠部55とを、それぞれ備えている。
【００８２】
固定孔54は、図１０に示すように、長孔状に形成され、仕切板８の各取付孔21に対応して、これら取付孔21と同一直線状に位置している。また、これら固定孔54は、傾斜板51の傾斜折り線部52寄りの位置にそれぞれ設けられ、仕切体４の幅方向である外板部７の長手方向に略等間隔に互いに離間されている。
【００８３】
また、固定切欠部55は、傾斜板51の先端部に、この傾斜板51の先端部から固定孔54に向けて直線長孔状に切り欠き形成されている。この結果、固定切欠部55は、取付孔21および固定孔54と同一直線状に位置している。
【００８４】
さらに、傾斜板51の長手方向の両端部には、端部折曲線56を介して折曲片部57が隣接してそれぞれ設けられている。これら折曲片部57は、平面視で略三角形状に形成され、端部折曲線56から傾斜板51に対して相対的に上方に向けて略垂直に曲げ起こされることで、包装用容器２内に仕切体４を収容した際に、この包装用容器２の内側面に当接して仕切体４を包装用容器２内に固定するものである。
【００８５】
一方、固定部53は、図１１に示すように、固定孔54に挿入されこの固定孔54の縁部に外板部７の外部で係合される挿入固定部61と、固定切欠部55に係合される係合部62とを備えている。
【００８６】
各挿入固定部61は、仕切板本体31の両端部の挿入部32の下側から仕切板本体31の長手方向の中心側に向けて傾斜して設けられた傾斜部63に対して垂直に突設されている。
【００８７】
また、これら挿入固定部61には、円弧状の固定切込曲線部64がそれぞれ切り込み形成されている。これら固定切込曲線部64は、挿入固定部61の突出方向と反対方向に向けて凸状に形成されている。さらに、挿入固定部61と仕切板本体31との連接部には、傾斜部63に沿って固定切込曲線部64の両側に固定折曲線部65が形成されている。このため、この固定折曲線部65から挿入固定部61を折り曲げることで、固定切込曲線部64により円弧状の挿入係止片部66がそれぞれ切り起こし形成される。
【００８８】
さらに、各傾斜部63には、挿入固定部61よりも仕切板本体31の幅方向の中心側に、係合部62を区画する切欠凹部67が隣接して設けられている。この切欠凹部67により、係合部62は、上部が略三角形状に形成されている。このため、この係合部62は、固定切欠部55に挿入した際にこの固定切欠部55に係合される。
【００８９】
また、仕切板８の両端部と傾斜部63との隣接部には、これら隣接部から仕切板本体31の上端部に亘って傾斜状に傾斜折曲線68がそれぞれ延設されている。これら傾斜折曲線68は、仕切板本体31の両端部の挿入部32の近傍の一部を折り曲げ可能にするものである。
【００９０】
さらに、仕切板本体31の長手方向の中心部には、仕切板折曲線部69が上下方向全体に亘って設けられている。この仕切板折曲線部69により、各仕切板本体31は長手方向の中心か部から２つ折りにして折り畳み可能となっている。
【００９１】
この結果、仕切板８は、仕切板折曲線部69について線対称な形状となっている。
【００９２】
上記第３の実施の形態の仕切体４を組み立てる際には、仕切板８の各係合部62を各傾斜板51の固定切欠部55に挿入して係合し、各挿入固定部61を各固定孔54に挿入し固定折曲線部65から折り曲げて挿入係止片部66を切り起こし形成し、これら挿入係止片部66を外板部７の外部で各固定孔54の縁部に係合する。さらに、仕切板８の挿入部32を取付孔21に挿入し、折曲線部33から折り曲げて係止部35を切り起こし形成して、この係止部35を外板部７の外部で取付孔21の縁部に係合させる。
【００９３】
そして、上記第３の実施の形態の仕切体４を使用する際には、端部折曲線56から折曲片部57を曲げ起こして包装用容器２の内側面に当接させつつ、仕切体４を、シート３を敷いた包装用容器２内に固定する。
【００９４】
さらに、各仕切板８により図９に示すように若干屈曲して形成された各収容部36に、それぞれ生鮮魚類１を整列した状態で収容する。
【００９５】
このとき、各生鮮魚類１の頭部を、各収容部36の傾斜板51に載置するように収容することで、各収容部36に収容された生鮮魚類１の頭部を傾斜板51で腹部より上方に持ち上げることができ、生鮮魚類１の目に生鮮魚類１の血液が溜まって充血する、いわゆる赤目現象を防止でき、生鮮魚類１の解凍鮮魚としての商品価値が低下することを防止できる。
【００９６】
また、固定孔54に、固定部53の挿入固定部61を挿入して縁部に外板部７の外部で係合し、固定切欠部55に、固定部53の係合部62を係合することで、仕切板８を外板部７に、より確実に固定でき、仕切板８と傾斜板51とを一体的にすることで、これら仕切板８と傾斜板51とが互いに離れて隙間が形成されることなどをも防止できる。
【００９７】
さらに、非使用時には、図１２に示すように、傾斜折り線部52から取付板11を内側に折り込みつつ両取付板11を重ねるように仕切体４を折り畳むことで、仕切板８が仕切板折曲線部69から２つ折りに折り曲げられるとともに、傾斜折曲線68から仕切板本体31の両端部の挿入部32の近傍の一部が折り曲げられるので、全体が嵩張らず、容易に省スペース化できる。
【００９８】
なお、上記各実施の形態において、生鮮魚類１は、さんまに限定されるものではなく、他の様々な種類が可能である。この場合には、それぞれの生鮮魚類１の種類に応じて収容部36の形状を変化させる。
【００９９】
また、仕切体４を包装用容器２と一体的に設けることも可能である。
【図面の簡単な説明】
【０１００】
【図１】本発明の第１の実施の形態の生鮮魚類の仕切体を示す平面図である。
【図２】同上生鮮魚類の仕切体の一部を展開して示す平面図である。
【図３】同上生鮮魚類の仕切体の一部を展開して示す平面図である。
【図４】同上生鮮魚類の仕切体の一部を拡大して示す平面図である。
【図５】同上生鮮魚類の仕切体の折り畳み状態を示す平面図である。
【図６】同上生鮮魚類の仕切体を示す斜視図である。
【図７】本発明の生鮮魚類の仕切体の第２の実施の形態を示す斜視図である。
【図８】同上生鮮魚類の仕切体を示す平面図である。
【図９】本発明の生鮮魚類の仕切体の第３の実施の形態を示す斜視図である。
【図１０】同上生鮮魚類の仕切体の一部を展開して示す平面図である。
【図１１】同上生鮮魚類の仕切体の一部を展開して示す平面図である。
【図１２】同上生鮮魚類の仕切体の折り畳み状態を示す平面図である。
【符号の説明】
【０１０１】
１    生鮮魚類
２    包装用容器
４    仕切体
７    外板部
８    仕切板
11    取付板
12    支持板
21    取付孔
31    仕切板本体
32    取付部としての挿入部
35    係止部
36    収容部
45    保護包装部材としての包装シート
51    傾斜板
53    固定部
54    固定孔
55    固定切欠部
61    挿入固定部
62    係合部
【図１】
2005053549.tif 000003
【図２】
2005053549.tif 000004
【図３】
2005053549.tif 000005
【図４】
2005053549.tif 000006
【図５】
2005053549.tif 000007
【図６】
2005053549.tif 000008
【図７】
2005053549.tif 000009
【図８】
2005053549.tif 000010
【図９】
2005053549.tif 000011
【図１０】
2005053549.tif 000012
【図１１】
2005053549.tif 000013
【図１２】
2005053549.tif 000014